(57)【要約】【課題】発光素子を安定に調光可能な電源装置および照明装置を提供することを目的とする。【解決手段】実施形態の電源装置は、制御回路と、検出回路と、を備える。前記制御回路は、入力した調光信号に応じて、発光素子に供給する出力電流を目標電流に制御する電流制御モードと前記発光素子に供給する出力電圧を目標電圧に制御する電圧制御モードとに切り替わり前記発光素子を調光する。前記検出回路は、前記出力電流および前記出力電圧を検出して、前記制御回路が前記電流モードと前記電圧モードとの間で切り替わるときの前記目標電圧を第１の電圧として設定する。【選択図】図１
2014068425.tif 000002
【特許請求の範囲】
【請求項１】
入力した調光信号に応じて、発光素子に供給する出力電流を目標電流に制御する電流制御モードと前記発光素子に供給する出力電圧を目標電圧に制御する電圧制御モードとに切り替わり前記発光素子を調光する制御回路と、
前記出力電流および前記出力電圧を検出して、前記制御回路が前記電流モードと前記電圧モードとの間で切り替わるときの前記目標電圧を第１の電圧として設定する第１の回路と、
を備えた電源装置。
【請求項２】
前記第１の回路は、検出した前記出力電流および前記出力電圧を、所定の電流値および電圧値と比較して、前記第１の電圧を補正する請求項１記載の電源装置。
【請求項３】
前記制御回路は、
前記電流制御モードにおいて目標電流に制御するための第１の基準信号と、
前記電圧制御モードにおいて目標電圧に制御するための第２の基準信号と、
を生成し、
前記第１の回路は、検出した前記出力電流および出力電圧に基づいて、前記第１の基準信号および前記第２の基準信号の少なくともいずれかを補正する請求項２記載の電源装置。
【請求項４】
前記第１の回路は、前記出力電流を定格電流まで変化させて、前記出力電圧に対する前記出力電流の特性を検出し、前記第１の電圧を設定する請求項１記載の電源装置。
【請求項５】
発光素子と、
請求項１〜４のいずれか１つに記載の電源装置と、
を備えた照明装置。
【発明の詳細な説明】
【技術分野】
【０００１】
本発明の実施形態は、電源装置および照明装置に関する。
【背景技術】
【０００２】
近年、照明装置において、照明光源は白熱電球や蛍光灯から省エネルギー・長寿命の光源、例えば発光ダイオード（Light-emitting diode：ＬＥＤ）への置き換えが進んでいる。また、例えば、ＥＬ（Electro-Luminescence）や有機発光ダイオード（Organic light-emitting diode：ＯＬＥＤ）など新たな照明光源も開発されている。これらの照明光源の光出力は流れる電流値に依存するため、照明光源を点灯・調光するためには供給する電流値の制御が可能な点灯装置が必要になる。例えば、発光ダイオードを点灯させる電源装置は、発光ダイオードを全点灯させる最大電流から消光時の最小値である電流値ゼロまで広範囲にわたって制御する必要がある。
【先行技術文献】
【特許文献】
【０００３】
【特許文献１】特開２００９−２３２６２３号公報
【発明の概要】
【発明が解決しようとする課題】
【０００４】
しかし、消光に近い深調光時においては電流値が微小になり、検出誤差が増大する。また、発光ダイオードは、製造ばらつきや温度依存性などにより特性が変動するため、全光から深調光を経て消灯するまで、なめらかに調光できない場合がある。
本発明の実施形態は、発光素子を安定に調光可能な電源装置および照明装置を提供することを目的とする。
【課題を解決するための手段】
【０００５】
実施形態の電源装置は、制御回路と、第１の回路と、を備える。前記制御回路は、入力した調光信号に応じて、発光素子に供給する出力電流を目標電流に制御する電流制御モードと前記発光素子に供給する出力電圧を目標電圧に制御する電圧制御モードとに切り替わり前記発光素子を調光する。前記第１の回路は、前記出力電流および前記出力電圧を検出して、前記制御回路が前記電流モードと前記電圧モードとの間で切り替わるときの前記目標電圧を第１の電圧として設定する。
【発明の効果】
【０００６】
本発明の実施形態によれば、発光素子を安定に調光可能な電源装置および照明装置が提供される。
【図面の簡単な説明】
【０００７】
【図１】第１の実施形態に係る電源装置を含む照明装置を例示する回路図である。
【図２】第１の実施形態における基準信号を説明する特性図である。
【図３】発光素子に供給される出力電圧ＶＦに対する出力電流ＩＦの特性図である。
【図４】第２の実施形態における基準信号生成回路を例示する回路図である。
【図５】第２の実施形態における基準信号を説明する特性図である。
【発明を実施するための形態】
【０００８】
以下、実施形態について図面を参照して詳細に説明する。なお、本願明細書と各図において、既出の図に関して前述したものと同様の要素には同一の符号を付して詳細な説明は適宜省略する。また、本願明細書においては、「調光度」とは、調光時の光出力の全点灯時の光出力に対する比をいい、調光度１００％は全点灯に、調光度０％は消灯時の光出力に対応する。
【０００９】
（第１の実施形態）
図１は、第１の実施形態に係る電源装置を含む照明装置を例示する回路図である。
第１の実施形態の照明装置２４は、発光素子２０と電源装置１とを備える。電源装置１は、直流電源回路１９と、第１の回路２１と、電流検出回路２２と、電圧検出回路２３と、制御回路３３と、を備える。電源装置１は、制御信号ＣＴＬに応じて、発光素子２０に供給される出力電流ＩＦ、出力電圧ＶＦを制御して調光する電源装置である。
【００１０】
直流電源回路１９は、整流回路１２と、コンデンサ１３と、トランス１４と、スイッチング素子１５と、整流平滑回路１８と、駆動回路３０とを有する。直流電源回路１９は、交流電源１１から供給される交流電圧を、直流電圧に変換する。なお、交流電源１１は、例えば商用電源である。
【００１１】
整流回路１２は、例えばダイオードブリッジであり、入力端子は交流電源１１に接続される。コンデンサ１３は、整流回路１２の出力端子に接続され、コンデンサ１３の両端には、交流電圧を平滑化した直流電圧が出力される。
【００１２】
トランス１４は、一次巻線１４１と二次巻線１４２とを有する。一次巻線１４１は、スイッチング素子１５を介して、コンデンサ１３の両端に接続される。
スイッチング素子１５は、例えばＦＥＴである。スイッチング素子１５の制御端子は、駆動回路３０を介して制御回路３３により制御される。
【００１３】
二次巻線１４２は、整流素子１６とコンデンサ１７とで構成された整流平滑回路１８に接続される。整流平滑回路１８は、二次巻線１４２に誘起される交流電圧を直流電圧に変換する。
【００１４】
発光素子２０は、例えば発光ダイオード（ＬＥＤ）であり、電流検出回路２２を介して、整流平滑回路１８の出力、すなわちコンデンサ１７の両端に接続される。発光素子２０は、出力電流ＩＦ、出力電圧ＶＦを供給されて発光する。なお、電源装置１においては、照明負荷として、発光素子２０を用いた構成を例示しているが、発光素子の数および構成などは任意であり、光出力などに応じて構成することができる。
【００１５】
電流検出回路２２は、例えば抵抗２２１で構成され、発光素子２０に直列に接続される。電流検出回路２２は、発光素子２０を流れる出力電流ＩＦを検出し、出力電流ＩＦに比例した電圧である検出値ＩＤＥＴとして出力する。
電圧検出回路２３は、例えば分割抵抗２３１、２３２で構成され、発光素子２０と接地間に接続される。電圧検出回路２３は、発光素子２０に供給される出力電圧ＶＦを検出し、出力電圧ＶＦに比例した電圧である検出値ＶＤＥＴとして出力する。
【００１６】
制御回路３３は、比較回路３４、３５と、ダイオード３７、３８と、基準信号生成回路３６と、を有する。制御回路３３は、検出値ＩＤＥＴ、ＶＤＥＴと、調光信号ＩＣＴＬ、ＳＣＴＬ、第１の電圧Ｖ１を入力して、制御信号ＣＴＬを出力し、駆動回路３０を介してスイッチング素子１５を制御する。
【００１７】
ここで、第１の電圧Ｖ１は、制御回路３３が電流モードと電圧モードとの間で切り替わるときの、発光素子２０に供給する出力電圧ＶＦの目標電圧であり、第１の回路２１で生成される。
【００１８】
比較回路３４は、検出値ＩＤＥＴを第１の基準信号ＲＥＦ１と比較する。比較回路３４は、検出値ＩＤＥＴが第１の基準信号ＲＥＦ１よりも大きいときハイレベルを出力し、検出値ＩＤＥＴが第１の基準信号ＲＥＦ１よりも小さいときローレベルを出力する。
【００１９】
比較回路３５は、検出値ＶＤＥＴを第２の基準信号ＲＥＦ２と比較する。比較回路３５は、検出値ＶＤＥＴが第２の基準信号ＲＥＦ２よりも大きいときハイレベルを出力し、検出値ＶＤＥＴが第２の基準信号ＲＥＦ２よりも小さいときローレベルを出力する。
【００２０】
ダイオード３７のアノードは、比較回路３４の出力に接続される。ダイオード３８のアノードは、比較回路３５の出力に接続される。ダイオード３７のカソードとダイオード３８のカソードとは、互いに接続され、駆動回路３０に接続される。
【００２１】
基準信号生成回路３６は、調光操作部３１から調光信号ＩＣＴＬを入力し、第１の回路２１から調光信号ＳＣＴＬおよび第１の電圧Ｖ１を入力し、第１の基準信号ＲＥＦ１、第２の基準信号ＲＥＦ２を出力する。
【００２２】
図２は、第１の実施形態における基準信号を説明する特性図である。
第１の基準信号ＲＥＦ１および第２の基準信号ＲＥＦ２は、調光度Ｋを表す調光信号ＩＣＴＬに応じて、それぞれ変化する信号である。第１の基準信号ＲＥＦ１は、例えば調光度Ｋに比例する信号として生成される。また、調光度Ｋが０％（消灯時）のときに出力電圧ＶＦが有限値になるのに対応して、第２の基準信号ＲＥＦ２は、調光度Ｋが０％のときに有限値を取り、調光度の変化に比例して変化する信号として生成される。
【００２３】
したがって、調光度Ｋが所定値Ｋ１のとき、第１の基準信号ＲＥＦ１と第２の基準信号ＲＥＦ２とは等しくなる。調光度Ｋが所定値Ｋ１よりも小さいときは、第２の基準信号ＲＥＦ２が第１の基準信号ＲＥＦ１よりも大きくなり、調光度Ｋが所定値Ｋ１よりも大きいときは、第１の基準信号ＲＥＦ１が第２の基準信号ＲＥＦ２よりも大きくなる。
【００２４】
なお、図２においては、第１の基準信号ＲＥＦ１および第２の基準信号ＲＥＦ２として、Ｐ点、Ｑ点、Ｒ点を通る３つの信号を例示している。これらは、図３を参照して説明するように、所定の基準となる発光素子２０に対応した信号（例えばＰ点を通る）と、第１の回路２１により補正された信号（例えばＱ点、Ｒ点を通る）とを表している。
【００２５】
図３は、発光素子２０に供給される出力電圧ＶＦに対する出力電流ＩＦの特性図である。
発光素子２０が例えばＬＥＤの場合は、出力電圧ＶＦに対して出力電流ＩＦが下に凸の非線形な特性を有する。そのため、例えば動作点Ｐにおいて第１の基準信号ＲＥＦ１と第２の基準信号ＲＥＦ２とが等しくなるように設定した場合、動作点Ｐよりも出力電圧ＶＦが大きい領域（電流制御領域）では、出力電圧ＶＦの変化よりも出力電流ＩＦの変化の方が大きくなる。また、動作点Ｐよりも出力電圧ＶＦが小さい領域（電圧制御領域）では、出力電流ＩＦの変化よりも出力電圧ＶＦの変化の方が大きくなる。
【００２６】
したがって、動作点Ｐよりも出力電圧ＶＦが大きい領域では、電流検出回路２２から出力される検出値ＩＤＥＴの方が、電圧検出回路２３から出力される検出値ＶＤＥＴよりも大きくなる。制御回路３３は、比較回路３４の出力を比較回路３５の出力よりも優先して、制御信号ＣＴＬとして出力する。その結果、制御回路３３は、駆動回路３０を介してスイッチング素子１５をオンまたはオフして、検出値ＩＤＥＴを第１の基準信号ＲＥＦ１に基づいた一定の目標電流に制御する電流制御モードとなる。
【００２７】
また、動作点Ｐよりも出力電圧ＶＦが小さい領域では、電圧検出回路２３から出力される検出値ＶＤＥＴの方が、電流検出回路２２から出力される検出値ＩＤＥＴよりも大きくなる。制御回路３３は、比較回路３５の出力を比較回路３４の出力よりも優先して、制御信号ＣＴＬとして出力する。その結果、制御回路３３は、駆動回路３０を介してスイッチング素子１５をオンまたはオフして、検出値ＶＤＥＴを第２の基準信号ＲＥＦ２に基づいた一定の目標電圧に制御する電圧制御モードになる。
【００２８】
このように、制御回路３３は、出力電流ＩＦが相対的に小さく、出力電流ＩＦの変動よりも出力電圧ＶＦの変動が大きい領域においては、第２の基準信号ＲＥＦ２を基準信号として、出力電圧ＶＦを一定の目標電圧に制御する。また、出力電流ＩＦが相対的に大きく、出力電圧ＶＦの変動よりも出力電流ＩＦの変動が大きい領域においては、第１の基準信号ＲＥＦ１を基準信号として、出力電流ＩＦを一定の目標電流に制御する。
【００２９】
したがって、所定の特性を有する発光素子２０に対しては、出力電流ＩＦをゼロ近傍の小さい領域から定格値まで、安定に変化させることができ、調光度Ｋを０％から１００％まで、安定に調光することができる。
【００３０】
一方、発光素子２０には製造ばらつきなどがあり、出力電圧ＶＦに対する出力電流ＩＦの特性には素子間でばらつきが生じる。例えば図３に表したように、動作点Ｐを通る特性を中心値とすると、動作点Ｑ、Ｒをそれぞれ通る特性の範囲でばらつきが生じる。なお、動作点Ｐ、Ｑ、Ｒは、それぞれの発光素子の出力電流ＩＦがＩ１になる動作点であり、そのときの出力電圧ＶＦは、それぞれＶＰ、ＶＱ、ＶＲ（ＶＱ＜ＶＰ＜ＶＲ）になっている。
【００３１】
したがって、動作点Ｐにおける出力電圧ＶＦ＝ＶＰを、制御回路３３が電流制御モードと電圧制御モードとの間で切り替わるときの目標電圧である第１の電圧Ｖ１として固定すると、発光素子２０の特性が動作点Ｐと通る特性と異なる場合に、安定に調光できない可能性が生じる。
【００３２】
例えば、動作点Ｑを通る特性の発光素子の場合に、出力電圧ＶＦ＝ＶＰで電流制御モードと電圧制御モードとを切り替えると、出力電流が所定の目標電流よりも大きく、調光度Ｋが所定値よりも大きい動作点で切り替わることになる。そのため、制御回路３３は、出力電流ＩＦが大きい領域において電圧制御モードになり、発光素子を安定に調光することができない可能性が生じる。
【００３３】
また、例えば、動作点Ｒを通る特性の発光素子の場合に、出力電圧ＶＦ＝ＶＰで電流制御モードと電圧制御モードとを切り替えると、出力電流が所定の目標電流よりも小さく、調光度Ｋが所定値よりも小さい動作点で切り替わることになる。そのため、制御回路３３は、出力電流ＩＦが小さい領域において電流制御モードになり、発光素子を安定に調光することができない可能性が生じる。
【００３４】
そこで、本実施形態においては、第１の回路２１により、発光素子２０に対して、所定の調光度Ｋ＝Ｋ１に対応した出力電流ＩＦ＝Ｉ１と出力電圧ＶＦを検出して、制御回路３３における第１の基準信号ＲＥＦ１および第２の基準信号ＲＥＦ２を設定する。
【００３５】
第１の回路２１は、例えばマイクロコンピュータで構成され、調光信号ＳＣＴＬを制御回路３３に出力して、検出値ＩＤＥＴ、ＶＤＥＴを入力して出力電流ＩＦおよび出力電圧ＶＦを検出することにより、発光素子２０の電流・電圧特性を検出する。また、検出した特性から、制御回路３３が電流モードと電圧モードとの間で切り替わるときの、発光素子２０に供給する出力電圧ＶＦの目標電圧を求めて、第１の電圧Ｖ１として出力する。
【００３６】
例えば、図３に表したように、動作点Ｑを通る特性の発光素子の場合には、第１の回路２１は、動作点Ｐにおける出力電流ＩＦ＝Ｉ１と等しい出力電流ＩＦになる出力電圧ＶＦ＝ＶＱを、電流制御モードと電圧制御モードとの間で切り替わる目標電圧である第１の電圧Ｖ１として設定する。
【００３７】
また、例えば、図３に表したように、動作点Ｒを通る特性の発光素子の場合には、第１の回路２１は、動作点Ｐにおける出力電流ＩＦと等しい出力電流ＩＦになる出力電圧ＶＦ＝ＶＲを、電流制御モードと電圧制御モードとの間で切り替わる目標電圧である第１の電圧Ｖ１として設定する。
【００３８】
制御回路３３は、第１の回路２１により設定された第１の電圧Ｖ１で、電流制御モードと電圧制御モードとに切り替わって発光素子２０を調光する。
例えば、第１の電圧がＶＱに設定された場合、制御回路３３は、図２に表したように、所定の調光度Ｋ＝Ｋ１（動作点Ｑ）で第１の基準信号ＲＥＦ１と第２の基準信号ＲＥＦ２とが等しくなるような第１の基準信号ＲＥＦ１および第２の基準信号ＲＥＦ２を生成する。
【００３９】
また、例えば動作点Ｐを通る第１の基準信号ＲＥＦ１および第２の基準信号ＲＥＦ２を所定の基準信号として、第１の回路２１により設定された第１の電圧ＶＱにより補正することもできる。
【００４０】
なお、図２においては、第１の電圧Ｖ１に応じて、第１の基準信号ＲＥＦ１および第２の基準信号ＲＥＦ２の両方が、補正または設定により変化しているが、いずれか一方のみが変化するように構成することもできる。例えば、電流制御モードと電圧制御モードとの間で切り替わる調光度ＫがＫ１から多少ずれるが、第２の基準信号ＲＥＦ２のみを変化させる構成とすることもできる。
【００４１】
本実施形態においては、発光素子を電流制御モードと電圧制御モードとで切替えて制御し、制御モードを切替える目標電圧である第１の電圧が、発光素子の特性を検出して基準信号を設定または補正される。その結果、発光素子の製造ばらつきにより動作点がずれて制御が不安定になることがなく、発光素子を安定に調光することができる。また、定格電流が異なる場合など、異なる規格の発光素子を安定に調光することができる。
【００４２】
（第２の実施形態）
図４は、第２の実施形態における基準信号生成回路を例示する回路図である。
第２の実施形態の電源装置は、第１の実施形態における基準信号生成回路３６を基準信号生成回路３６ａに置き換えて構成されている。第２の実施形態の基準信号生成回路３６ａ以外の構成は、第１の実施形態の構成と同様である。
【００４３】
基準信号生成回路３６ａは、第１の基準信号ＲＥＦ１を生成する第１の信号生成回路３６１と、第２の基準信号ＲＥＦ２を生成する第２の信号生成回路３６２と、ダイオード３９、４０と、を有する。
【００４４】
第１の基準信号ＲＥＦ１および第２の基準信号ＲＥＦ２は、第１の実施形態におけるものと同様であり、第１の回路２１により設定または補正される。なお、図４においては、第１の基準信号ＲＥＦ１と第２の基準信号ＲＥＦ２とを補正する構成を例示しているが、第１の基準信号ＲＥＦ１および第２の基準信号ＲＥＦ２の少なくともいずれかを補正する構成とすることができる。
【００４５】
第１の信号生成回路３６１は、ダイオード３９を介して、比較回路３４、３５の反転入力端子に接続される。第２の信号生成回路３６２は、ダイオード４０を介して、比較回路３４、３５の反転入力端子に接続される。
基準信号生成回路３６ａは、第１の基準信号ＲＥＦ１と第２の基準信号ＲＥＦ２とのうちの大きい信号を基準信号ＲＥＦとして出力する。
【００４６】
（第２の実施形態）
図５は、第２の実施形態における基準信号を説明する特性図である。
図５に表したように、本実施形態は、第１の実施形態と比較して、基準信号生成回路３６の構成が異なっており、本実施形態においては、第１の実施形態における基準信号生成回路３６の替わりに、基準信号生成回路３６ａが設けられている。本実施形態に係る電源装置および照明装置の基準信号生成回路以外の構成は、図１に示す構成と同様である。
発光素子２０の出力電圧ＶＦに対する出力電流ＩＦの特性が、図３の動作点Ｑを通る場合を例示している。第１の基準信号ＲＥＦ１と第２の基準信号ＲＥＦ２とは、調光度Ｋ＝Ｋ１における動作点Ｑで交差するように設定または補正されている。
【００４７】
基準信号生成回路３６ａは、第１の基準信号ＲＥＦ１と第２の基準信号ＲＥＦ２とのうち大きい信号を選択して出力するため、基準信号ＲＥＦは、図５の実線で表したようになる。
【００４８】
本実施形態における制御回路３３は、出力電圧ＶＦが、調光度Ｋ＝Ｋ１に相当する第１の電圧Ｖ１＝ＶＱよりも小さい領域において、出力電圧ＶＦを一定の目標電圧に制御する。このとき、比較回路３４の反転入力端子には、基準信号ＲＥＦとして、第１の基準信号ＲＥＦ１よりも大きい第２の基準信号ＲＥＦ２が入力されている。その結果、ノイズなどによる比較回路３４のハイレベルの出力が抑制され、制御回路３３は比較回路３５の出力による電圧制御モードで、安定に発光素子２０を調光することができる。
【００４９】
また、本実施形態における制御回路３３は、出力電圧ＶＦが、第１の電圧Ｖ１よりも大きい領域において、出力電流ＩＦを一定の目標電流に制御する。このとき、比較回路３５の反転入力端子には、基準信号ＲＥＦとして、第２の基準信号ＲＥＦ２よりも大きい第１の基準信号ＲＥＦ１が入力されている。その結果、ノイズなどによる比較回路３５のハイレベルの出力が抑制され、制御回路３３は比較回路３４の出力による電流制御モードで、安定に発光素子２０を調光することができる。
【００５０】
本実施形態においては、第１の実施形態の効果の他に、ノイズなどによる影響を抑制して、さらに安定に発光素子２０を調光することができる。
【００５１】
以上、具体例を参照しつつ実施形態について説明したが、それらに限定されるものではなく、種々の変形が可能である。
例えば、発光素子２０は、ＯＬＥＤなどでもよく、発光素子２０は、複数個の発光素子が直列又は並列に接続されていてもよい。
【００５２】
また、第１の回路２１は、例えば調光度Ｋが０〜１００％に変化する調光信号ＳＣＴＬを制御回路３３に出力して、検出値ＩＤＥＴ、ＶＤＥＴを入力して出力電流ＩＦおよび出力電圧ＶＦを検出することにより、発光素子２０の出力電圧ＶＦに対する出力電流ＩＦの特性および第１の電圧Ｖ１を検出することができる。
【００５３】
このとき、第１の回路２１は、調光度Ｋを０％から徐々に増加させて、出力電流ＩＦがゼロから徐々に上昇するように制御して、そのときの出力電圧ＶＦを検出して、第１の電圧Ｖ１を検出することができる。
【００５４】
なお、発光素子２０に、調光度Ｋが１００％のときの出力電流ＩＦに相当する定格電流に関する情報を保持させておき、第１の回路２１は、保持された情報を取得して、発光素子２０の定格電流を設定することもできる。また、定格電流は、電源装置１に固有の所定値として、予め設定しておくこともできる。
【００５５】
また、発光素子２０に定格電流に関する情報が保持されている場合など、第１の回路２１が、定格電流を検知できる場合は、消灯時に調光度Ｋが１００％の定格電流に相当する出力電流ＩＦから徐々に出力電流ＩＦを減少させ、定格電流の５０％から出力電圧ＶＦを検出して、調光度Ｋに対する出力電流ＩＦおよび出力電圧ＶＦの少なくともいずれかを調光カーブとして求め、求めた調光カーブに基づいて第１の電圧Ｖ１を検出することができる。
【００５６】
また、第１の回路２１は、電源オン時に、または調光度が０％から解除されて点灯する際に、所定期間、定格出力よりも小さい低出力で発光素子２０を点灯させたときの出力電圧ＶＦ、出力電流ＩＦを検出することにより、第１の電圧Ｖ１を検出することができる。
【００５７】
また、第１の回路２１は、電源オン時に、または調光度が０％から解除されて点灯する際に、所定期間、任意の出力で発光素子２０を点灯させたときの出力電圧ＶＦ，出力電流ＩＦを検出することにより、第１の電圧Ｖ１を検出することができる。
【００５８】
また、第１の回路２１は、電源オン時に、または調光度が０％から解除されて点灯する際に、所定期間、入力されている調光信号ＩＣＴＬの調光度Ｋに応じた出力で発光素子２０を点灯させたときの出力電圧ＶＦ、出力電流ＩＦを検出することにより、第１の電圧Ｖ１を検出することができる。
【００５９】
また、第１の回路２１は、製造時に行われる検査で発光素子２０を点灯させたときの出力電圧ＶＦ，出力電流ＩＦを検出することにより、第１の電圧Ｖ１を検出することができる。
【００６０】
また、第１の回路２１は、検出した発光素子２０の出力電圧ＶＦに対する出力電流ＩＦの特性、および検出した第１の電圧Ｖ１を記憶し、その後変更しないようにすることができる。また、記憶した特性および第１の電圧Ｖ１は、消灯時に初期化して、所定の基準の値に設定することもできる。また、検出した特性および第１の電圧Ｖ１は、所定時間ごとに更新することもできる。
【００６１】
また、発光素子２０に電流・電圧の特性および第１の電圧Ｖ１に関する情報を保持させておき、第１の回路２１は、保持された情報を取得して、発光素子２０の特性および第１の電圧Ｖ１を設定することもできる。
【００６２】
また、発光素子２０が保持する情報として、調光度Ｋが１００％のときの出力電流ＩＦに相当する発光素子２０の定格電流を含めることができる。また、定格電流は、電源装置１に固有の所定値として、予め設定しておくこともできる。
【００６３】
また、第１の回路２１は、発光素子２０の出力電圧ＶＦに対する出力電流ＩＦの特性を１回だけ検出するように構成することができ、また任意回数検出するように構成することもできる。
【００６４】
また、発光素子２０の出力電圧ＶＦに対する出力電流ＩＦの特性は、発光素子２０の温度、または周囲温度により変化するため、温度を検出して補正することができる。
第１の回路２１は、電源オン時に、または調光度が０％から解除されて点灯する際に、所定期間、定格出力よりも小さい低出力で発光素子２０を点灯させたときの発光素子２０の温度および周囲温度の少なくともいずれかを検出することにより、第１の電圧Ｖ１を補正することができる。
【００６５】
また、第１の回路２１は、電源オン時に、または調光度が０％から解除されて点灯する際に、所定期間、任意の出力で発光素子２０を点灯させたときの発光素子２０の温度および周囲温度の少なくともいずれかを検出することにより、第１の電圧Ｖ１を補正することができる。
【００６６】
また、第１の回路２１は、電源オン時に、または調光度が０％から解除されて点灯する際に、所定期間、入力されている調光信号ＩＣＴＬの調光度Ｋに応じた出力で発光素子２０を点灯させたときの発光素子２０の温度および周囲温度の少なくともいずれかを検出することにより、第１の電圧Ｖ１を補正することができる。
【００６７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
１…電源装置、  １１…交流電源、  １２…整流回路、  １３、１７…コンデンサ、  １４…トランス、  １５…スイッチング素子、  １６…整流素子、  １８…整流平滑回路、  １９…直流電源回路、  ２０…発光素子、  ２１…第１の回路、  ２２…電流検出回路、  ２３…電圧検出回路、  ２４…照明装置、  ３０…駆動回路、  ３１…調光操作部、  ３３…制御回路、  ３４、３５…比較回路、  ３６、３６ａ…基準信号生成回路、  ３７、３８、３９、４０…ダイオード、  １４１…一次巻線、  １４２…二次巻線、  ２２１…抵抗、  ２３１、２３２…分割抵抗、  ３６１…第１の信号生成回路、  ３６２…第２の信号生成回路
【図１】
2014068425.tif 000003
【図２】
2014068425.tif 000004
【図３】
2014068425.tif 000005
【図４】
2014068425.tif 000006
【図５】
2014068425.tif 000007